(57)【特許請求の範囲】
【請求項１】
ブロック本体の上面に電線接続用の端子部が設けられ、その端子部の近傍に係合支柱が立設されたヒュージブルリンクブロックと、
前記係合支柱に前記ブロック本体の上面に沿った方向に回動可能に嵌合する嵌合ボスを有すると共に、前記端子部を覆う覆い壁を有したカバーと、
前記ブロック本体と前記カバーに設けられ、前記覆い壁により前記端子部を覆った状態のときに互いに係合することで前記カバーの回動を不能とし、非係合時に前記カバーの回動を可能とする係合部および被係合部と、
前記係合支柱と前記嵌合ボスに設けられ、前記嵌合ボスを高い位置に仮係止することで前記係合部と被係合部を非係合状態に維持して前記カバーの回動を可能にする仮係止手段、および、前記嵌合ボスを低い位置に本係止することで前記係合部と被係合部を係合状態に維持して前記カバーの回動を不能にする本係止手段と、
を備えることを特徴とするヒュージブルリンクブロックの電線接続端子部カバーの取付構造。
【請求項２】
前記係合支柱が円柱状の支柱として設けられ、
前記円柱状の支柱の先端側外周に前記仮係止手段としての第１環状凸部が設けられ、
前記円柱状の支柱の基端側外周に前記本係止手段としての第２環状凸部が、前記第１環状凸部の外径とほぼ同径のものとして設けられ、
一方、前記カバーが、前記嵌合ボスを一体に有する樹脂成形品により構成され、
前記嵌合ボスに、前記第１環状凸部および第２環状凸部に嵌合する内径の円孔を有した円筒壁が設けられ、
その円筒壁の下端に、該円筒壁を窄めることで開口径を前記第１環状凸部および第２環状凸部より小さくした係合孔縁が、前記仮係止手段および本係止手段を兼ねるものとして設けられていることを特徴とする請求項１に記載のヒュージブルリンクブロックの電線接続端子部カバーの取付構造。
【請求項３】
前記カバーが帯板状に形成され、その帯板状のカバーの両側縁に前記係合部が下方に突出するリブとして形成され、
一方、前記ブロック本体の上面に、前記係合部としてのリブと係合する前記被係合部が突設されていることを特徴とする請求項１または２に記載のヒュージブルリンクブロックの電線接続端子部カバーの取付構造。
【発明の詳細な説明】
【技術分野】
【０００１】
本発明は、車載バッテリと負荷回路側の電線との間をつなぐヒュージブルリンクブロックの電線接続端子部カバーの取付構造に関するものである。
【背景技術】
【０００２】
ヒュージブルリンクブロックでは、通常、漏電を防止するために、電線の接続部を覆うようにキャップ（電線接続端子部カバー）を設けている（例えば、特許文献１参照）。この場合、通常は、ヒュージブルリンクブロックの本体側とキャップ側にそれぞれロック部を設けて、それらロック部を互いに係合させることにより、キャップの脱落防止を図っているが、従来では、キャップを上から押し込むだけで、ロック部を互いに係合させる構造を採用していることが多い。
【０００３】
図７〜図９は、従来のヒュージブルリンクブロックにおけるキャップ取付構造を示している。
【０００４】
図７において、バッテリ１００の上面にはバッテリポスト１０１が設けられ、そのバッテリポスト１０１に、接続端子１１０の一端に設けられたバッテリ締結部１１１が接続されている。接続端子１１０の他端にはヒュージブルリンク接続部１１２が設けられ、そのヒュージブルリンク接続部１１２にヒュージブルリンクブロック１２０の一端側に設けられた電源側端子部１２２が接続されている。
【０００５】
また、バッテリ１００の上面から側面に沿うように下方にＬ字形に曲がったヒュージブルリンクブロック１２０の他端側には、電線接続端子部１２４が設けられており、その電線接続端子部１２４に、負荷側の電線１３０の端末に設けられた端子１３１が接続されている。ヒュージブルリンクブロック１２０の電源側端子部１２２と電線接続端子部１２４との間には、可溶部を備えたヒューズ部１２３が設けられており、過電流が流れた際にヒューズ部１２３が溶断して、電源側端子部１２２から電線接続端子部１２４へ流れる電流を遮断することができるようになっている。これらヒューズ部１２３や電源側端子部１２２および電線接続端子部１２４は、一体のバスバーによって構成されており、そのバスバーの必要部分をインサート成形された樹脂ケースで覆うことによって、ヒュージブルリンクブロック１２０が形成されている。
【０００６】
また、ヒュージブルリンクブロック１２０の上側には、ヒュージブルリンクブロック１２０の全体を覆うようにキャップ１４０が被せられている。このキャップ１４０は、電線接続端子部１２４を覆う垂直部１４１と、電源側端子部１２２を覆う水平部１４２と、垂直部１４１に対して水平部１４２を上下方向に回動自在に連結するヒンジ部１４３とを有している。また、このキャップ１４０には、上方からヒュージブルリンクブロック１２０の上に押し込むことによって、ヒュージブルリンクブロック側のロック部（図示略）と係合するロック部（図示略）が設けられている。
【０００７】
このように従来では、キャップ１４０を上からヒュージブルリンクブロック１２０に対して押し込むことにより、ロック部を互いに係合させる構造を採用していることが多い。図８はキャップ１４０を装着した状態を示し、図９はそのキャップ１４０の水平部１４２を上に持ち上げて電源側端子部１２２を開放している状態を示している。
【０００８】
図９に示すように、このキャップ１４０は、水平部１４２を上に持ち上げることにより、電源側端子部１２２については開放することができるが、上から押し込んで装着する必要があるので、近くに障害物のある狭い場所では脱着しにくい場合がある。
【０００９】
図１０および図１１は、ヒュージブルリンクブロックの近傍に障害物がある場合の例を示している。
【００１０】
図中符号２００で示すものはヒュージブルリンクブロックで、ブロック本体２０１の上端の端部に電線接続端子部２０２が配置され、その電線接続端子部２０２の斜め上側に近接してシート状の障害物２１０が配されている。点線Ｓで示す部分がカバーで保護すべき箇所であり、電線は矢印Ｆの方向に引き出される。ヒュージブルリンクブロック２００の上面はＸ−Ｙ平面内に位置し、ヒュージブルリンクブロック２００に近接する障害物２１０が、カバーで保護するべき部分（要保護領域）Ｓの上方の一部を覆っているので、その部分Ｓの上側にはＺ方向の余裕がない。
【先行技術文献】
【特許文献】
【００１１】
【特許文献１】特開２００６−４０７９９号公報
【発明の概要】
【発明が解決しようとする課題】
【００１２】
図１０および図１１に示すようなレイアウトの場合、電線接続端子部２０２の斜め上側に近接して障害物２１０があり、保護すべき箇所Ｓが障害物２１０の下側に隠れるので、上からキャップやカバーを被せようとしても、障害物２１０が邪魔になって、簡単に装着することができない。
【００１３】
本発明は、上述した事情に鑑みてなされたものであり、その目的は、ヒュージブルリンクブロックの近くに障害物がある場合であっても、容易にカバーを脱着したり、カバーを動かして電線接続端子部を開放したりすることのできるヒュージブルリンクブロックの電線接続端子部カバーの取付構造を提供することにある。
【課題を解決するための手段】
【００１４】
本発明の上記目的は、下記の構成により達成される。
（１）  ブロック本体の上面に電線接続用の端子部が設けられ、その端子部の近傍に係合支柱が立設されたヒュージブルリンクブロックと、
前記係合支柱に前記ブロック本体の上面に沿った方向に回動可能に嵌合する嵌合ボスを有すると共に、前記端子部を覆う覆い壁を有したカバーと、
前記ブロック本体と前記カバーに設けられ、前記覆い壁により前記端子部を覆った状態のときに互いに係合することで前記カバーの回動を不能とし、非係合時に前記カバーの回動を可能とする係合部および被係合部と、
前記係合支柱と前記嵌合ボスに設けられ、前記嵌合ボスを高い位置に仮係止することで前記係合部と被係合部を非係合状態に維持して前記カバーの回動を可能にする仮係止手段、および、前記嵌合ボスを低い位置に本係止することで前記係合部と被係合部を係合状態に維持して前記カバーの回動を不能にする本係止手段と、
を備えることを特徴とするヒュージブルリンクブロックの電線接続端子部カバーの取付構造。
【００１５】
（２）  前記係合支柱が円柱状の支柱として設けられ、
前記円柱状の支柱の先端側外周に前記仮係止手段としての第１環状凸部が設けられ、
前記円柱状の支柱の基端側外周に前記本係止手段としての第２環状凸部が、前記第１環状凸部の外径とほぼ同径のものとして設けられ、
一方、前記カバーが、前記嵌合ボスを一体に有する樹脂成形品により構成され、
前記嵌合ボスに、前記第１環状凸部および第２環状凸部に嵌合する内径の円孔を有した円筒壁が設けられ、
その円筒壁の下端に、該円筒壁を窄めることで開口径を前記第１環状凸部および第２環状凸部より小さくした係合孔縁が、前記仮係止手段および本係止手段を兼ねるものとして設けられていることを特徴とする上記（１）に記載のヒュージブルリンクブロックの電線接続端子部カバーの取付構造。
【００１６】
（３）  前記カバーが帯板状に形成され、その帯板状のカバーの両側縁に前記係合部が下方に突出するリブとして形成され、
一方、前記ブロック本体の上面に、前記係合部としてのリブと係合する前記被係合部が突設されていることを特徴とする上記（１）または（２）に記載のヒュージブルリンクブロックの電線接続端子部カバーの取付構造。
【００１７】
上記（１）の構成の取付構造によれば、カバーを係合支柱を支点にして回動させることができるので、ヒュージブルリンクブロックの近傍に障害物がある場合でも、予め障害物と干渉しない位置でカバーを係合支柱に取り付け、その状態でカバーを回動させることにより、電線接続端子部を覆う位置にカバーを位置させることができる。つまり、障害物との干渉を避けながら、狭いところでも、カバーを適正な保護機能を発揮できる位置に容易に装着することができる。また、上記と反対に操作することで、カバーを容易に取り外すことができる。また、カバーを回動させることによって、電線接続端子部を開放させることができるので、電線接続端子部に対する電線の取り付けや取り外しを容易に行うことができる。
【００１８】
上記（２）の構成の取付構造によれば、カバーの嵌合ボスを係合支柱にガタつきなく、且つ、スムーズにカバーを回動させることができるように嵌合させることができる。
【００１９】
上記（３）の構成の取付構造によれば、帯板状のカバーの両側縁に設けた係合部をブロック本体の上面に突設した被係合部に係合させることにより、カバーを回転しないようにロックするので、カバーのロックを、ガタつかないように確実に行うことができる。
【発明の効果】
【００２０】
本発明によれば、ヒュージブルリンクブロックの近くに障害物がある場合であっても、容易にカバーを脱着したり、カバーを動かして電線接続端子部を開放したりすることができる。
【図面の簡単な説明】
【００２１】
【図１】本発明の実施形態の取付構造に使用するカバーの構成図で、（ａ）はカバーを上から見た斜視図、（ｂ）はカバーを裏返して見た斜視図、（ｃ）はカバーの側面図である。
【図２】同実施形態の取付構造の外観を示す上から見た斜視図である。
【図３】同実施形態の取付構造に使用する係合支柱の構成を示す斜視図である。
【図４】（ａ）は図２のＡ−Ａ矢視断面で、カバーの嵌合ボスをヒュージブルリンクブロック本体側の係合支柱に仮係止した状態を示す断面図、（ｂ）は（ａ）の要部拡大図である。
【図５】（ａ）は図２のＡ−Ａ矢視断面で、カバーの嵌合ボスをヒュージブルリンクブロック本体側の係合支柱に本係止した状態を示す断面図、（ｂ）は（ａ）の要部拡大図である。
【図６】同実施形態の取付構造の組立手順を示す図で、（ａ）はカバーを障害物と干渉しない位置で仮装着した状態を示す平面図、（ｂ）はそのカバーを回動させて適正な保護機能を発揮できる位置に本装着した状態を示す平面図である。
【図７】従来のヒュージブルリンクブロックのキャップ取付構造を示す分解斜視図である。
【図８】図７のキャップを装着した状態の外観を示す斜視図である。
【図９】そのキャップの水平部を上に持ち上げて電源側端子部を開放している状態を示す斜視図である。
【図１０】従来のヒュージブルリンクブロックの近傍に障害物がある場合の取付構造を示す斜視図である。
【図１１】図１０の取付構造の説明図である。
【発明を実施するための形態】
【００２２】
以下、本発明の実施形態を図面を参照して説明する。
図１は実施形態の取付構造に使用するカバーの構成図で、（ａ）はカバーを上から見た斜視図、（ｂ）はカバーを裏返して見た斜視図、（ｃ）はカバーの側面図、図２は同実施形態の取付構造の外観を示す上から見た斜視図、図３は同実施形態の取付構造に使用する係合支柱の構成を示す斜視図、図４（ａ）は図２のＡ−Ａ矢視断面で、カバーの嵌合ボスをヒュージブルリンクブロック本体側の係合支柱に仮係止した状態を示す断面図、（ｂ）は（ａ）の要部拡大図、図５（ａ）は図２のＡ−Ａ矢視断面で、カバーの嵌合ボスをヒュージブルリンクブロック本体側の係合支柱に本係止した状態を示す断面図、（ｂ）は（ａ）の要部拡大図である。
【００２３】
図２、図４、図５に示すように、ヒュージブルリンクブロック１は、ブロック本体２の上面の端部に電線接続用の端子部３を有している。また、その端子部３の近傍に、上方に突出した係合支柱５を有している。また、ヒュージブルリンク１の近傍には、電線接続用の端子部３の斜め上方に位置して障害物（シート）２１０が配されている。この障害物２１０は、電線接続用の端子部３の上方を直接覆う位置にあるわけではないが、端子部３に接続した電線の上方を覆う位置にある。従って、そのまま上方からカバーを被せることはできない。係合支柱５は、障害物２１０と端子部３を挟んで反対側に配置されている。
【００２４】
カバー１０は、図１および図４に示すように、端子部３の上方および端子部３に接続した電線の上方を覆うためのものであり、ブロック本体２の上面と平行な第１板部１１と、第１板部１１から斜めに緩やかに下る第２板部１２と、第２板部１２に連なり第１板部１１と平行な第３板部２３とからなる屈曲構造の帯板状の覆い壁１４を有している。第１板部１１は、カバー１０の装着時に障害物２１０から外れた場所に位置する部分であり、第３板部１３は、カバー１０の装着時に障害物２１０の下側に挿入されて、上から見た場合に障害物２１０の下側に隠れる部分である。第１板部１１より第３板部１３を下方に位置させたのは、低い位置に配された障害物２１０の下側に挿入するためである。障害物２１０の位置がもう少し高い場合には、敢えてこのような屈曲構造を採用する必要はない。
【００２５】
カバー１０の第１板部１１の下面には、ヒュージブルリンクブロック１側に設けた係合支柱５に嵌合する嵌合ボス２０が突設されており、嵌合ボス２０を係合支柱５に嵌合させることにより、係合支柱５を支点にして、カバー１０を、ブロック本体２の上面に沿った方向に回動可能な状態に保持することができる。このカバー１０は、嵌合ボス２０を一体に有する樹脂成形品により構成されている。
【００２６】
また、図４（ｂ）および図５（ｂ）に示すように、カバー１０とブロック本体２には、カバー１０により端子部３を覆った状態にしたときに互いに係合することでカバー１０の回動を不能とし、非係合時にカバー１０の回動を可能とする係合部１５および被係合部４がそれぞれ設けられている。係合部１５は、帯板状のカバー１０の第１板部１１の両側縁に下方に突出するリブとして形成されている。また、被係合部４は、ブロック本体２の上面に、前記リブ１５と係合することができるように突設されている。
【００２７】
また、係合支柱５と嵌合ボス２０には、図４に示すように、嵌合ボス２０を高い位置に仮係止することで、係合部１５と被係合部４を非係合状態に維持してカバー１０の回動を可能にする仮係止手段（後述）、および、図５に示すように、嵌合ボス２０を低い位置に本係止することで、係合部１５と被係合部４を係合状態に維持してカバー１０の回動を不能にする本係止手段（後述）とが設けられている。
【００２８】
係合支柱５は、図２および図４、図５に示すように、基端６がブロック本体２に埋め込み固定された円柱状の支柱７として設けられており、円柱状の支柱７の先端側外周に仮係止手段としての第１環状凸部９を有し、円柱状の支柱７の基端側外周に本係止手段としての第２環状凸部８を有している。第１環状凸部９と第２環状凸部８の外径はほぼ同径である。
【００２９】
また、図４および図５に示すように、嵌合ボス２０には、係合支柱５の第１環状凸部９および第２環状凸部８に嵌合する内径の円孔２１を有した円筒壁２２が設けられており、その円筒壁２２の下端に、該円筒壁２２を窄めることで開口径を第１環状凸部９および第２環状凸部８より小さくした係合孔縁２３が、仮係止手段および本係止手段を兼ねるものとして設けられている。
【００３０】
次に作用を述べる。
カバー１０をヒュージブルリンクブロック１に取り付けるには、まず、図６（ａ）に示すように、カバー１０を障害物２１０と干渉しない姿勢に保ち、上から押し下げることで、嵌合ボス２０を係合支柱５に嵌めて仮係止させる。つまり、係合支柱５の第１環状凸部９の下側まで嵌合ボス２０の係合孔縁２３を押し込む。図４はその状態を示している。
【００３１】
このように仮係止させた状態で、カバー１０を図６（ａ）中の矢印Ｒ方向に回動させ、図４および図６（ｂ）に示すように、カバー１０の第３板部１３を障害物２１０の下側に挿入させる。次いで、その位置でカバー１０を更に押し込むことで、図５に示すように、嵌合ボス２０を係合支柱５に本係止させる。つまり、係合支柱５の第２環状凸部８の下側まで嵌合ボス２０の係合孔縁２３を押し込む。こうすることで、カバー１０のリブ１５をブロック本体２の被係合部４に係合させることができ、回転不能な状態でカバー１０をヒュージブルリンクブロック１に装着することができ、それにより、電線接続用の端子部３や該端子部３の接続される電線の接続箇所を保護することができる。
【００３２】
以上の説明のように、本実施形態のカバー取付構造によれば、カバー１０を係合支柱５を支点にして回動させることができるので、ヒュージブルリンクブロック１の近傍に障害物２０１がある場合でも、予め障害物２１０と干渉しない位置でカバー１０を係合支柱５に取り付け、その状態でカバー１０を回動させることにより、電線接続用の端子部３を覆う適正な位置にカバー１０を位置させて装着することができる。つまり障害物２１０との干渉を避けながら、狭いところでも、カバー１０を適正な保護機能を発揮できる位置に容易に装着することができる。
【００３３】
また、カバー１０を取り外す場合は、上記と反対に操作することで、カバー１０を容易に取り外すことができる。また、カバー１０を回動させることによって、電線接続用の端子部３を開放させることができるので、電線接続用の端子部３に対する電線の取り付けや取り外しを容易に行うことができる。
【００３４】
また、上記の構造によれば、カバー１０の嵌合ボス２０を係合支柱５にガタつきなく、且つ、スムーズにカバー１０を回動させることができるように嵌合させることができる。また、帯板状のカバー１０の両側縁に設けた係合部（リブ１５）をブロック本体２の上面に突設した被係合部４に係合させることにより、カバー１０を回転しないようにロックするので、カバー１０のロックを、ガタつかないように確実に行うことができる。
【００３５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３６】
１  ヒュージブルリンクブロック
２  ブロック本体
３  端子部
４  被係合部
５  係合支柱
７  円柱状の支柱
８  第２環状凸部（本係止部）
９  第１環状凸部（仮係止部）
１０  カバー
１４  覆い壁
２０  嵌合ボス
２１  円孔
２２  円筒壁
２３  係合孔縁（仮係止部、本係止部）
【図１】
0005711609.tif 000002
【図２】
0005711609.tif 000003
【図３】
0005711609.tif 000004
【図４】
0005711609.tif 000005
【図５】
0005711609.tif 000006
【図６】
0005711609.tif 000007
【図７】
0005711609.tif 000008
【図８】
0005711609.tif 000009
【図９】
0005711609.tif 000010
【図１０】
0005711609.tif 000011
【図１１】
0005711609.tif 000012